(57)【特許請求の範囲】
【請求項１】
通信ネットワークを介して受信した文書データに基づいて操作画面を作成し、当該操作画面を表示画面上に表示させる操作画面処理手段と、
前記通信ネットワークを介して受信した映像に関して、前記表示画面上での当該映像の再生を制御する映像制御手段と、
記憶手段と、
を備え、
前記操作画面には、
第１アドレスから受信した文書データに基づいて作成され、前記映像の表示領域を含む第１操作画面と、
第２アドレスから受信した文書データに基づいて作成され、前記映像の表示領域を含む第２操作画面と、
第３アドレスから受信した文書データに基づいて作成され、前記映像の表示領域を含まない第３操作画面と、
が含まれ、
前記操作画面処理手段は、操作入力に基づいて前記第１乃至第３アドレス間を遷移することにより、前記第１乃至第３操作画面を切り換えて前記表示画面上に表示させ、
前記記憶手段には、前記第１乃至第３アドレス間でアドレスが遷移した場合に前記映像の再生を停止することが不要な遷移先アドレスとして、前記第１及び第２アドレスが記憶されており、
前記第１及び第２アドレス間でアドレスが遷移した場合には、前記映像制御手段は、遷移元アドレスに対応する操作画面内で再生されていた映像を、遷移先アドレスに対応する操作画面内において継続して再生する、映像受信装置。
【請求項２】
前記操作画面処理手段は、前記第１乃至第３アドレス間でアドレスが遷移した場合に、遷移先アドレスを前記映像制御手段に通知し、
前記映像制御手段は、前記操作画面処理手段から遷移先アドレスの通知を受けることにより前記記憶手段を参照し、参照の結果、前記記憶手段に記憶されている前記第１及び第２アドレス間でアドレスが遷移したと判定した場合には、遷移元アドレスに対応する操作画面内で再生されていた映像を、遷移先アドレスに対応する操作画面内において継続して再生する、請求項１に記載の映像受信装置。
【請求項３】
前記操作画面処理手段は、前記第１乃至第３アドレス間でアドレスが遷移した場合に前記記憶手段を参照し、参照の結果、前記記憶手段に記憶されている前記第１及び第２アドレス間でアドレスが遷移したと判定した場合には、遷移元アドレスに対応する操作画面内で再生されていた映像を、遷移先アドレスに対応する操作画面内において継続して再生するよう、前記映像制御手段に指示する、請求項１に記載の映像受信装置。
【請求項４】
前記第１又は第２アドレスから前記第３アドレスへアドレスが遷移した場合には、前記映像制御手段は、遷移元アドレスに対応する操作画面内で再生されていた映像の再生を停止する、請求項１〜３のいずれか一つに記載の映像受信装置。
【請求項５】
映像受信装置に搭載されるコンピュータを、
通信ネットワークを介して受信した文書データに基づいて操作画面を作成し、当該操作画面を表示画面上に表示させる操作画面処理手段と、
前記通信ネットワークを介して受信した映像に関して、前記表示画面上での当該映像の再生を制御する映像制御手段と、
として機能させるためのプログラムであって、
前記操作画面には、 
第１アドレスから受信した文書データに基づいて作成され、前記映像の表示領域を含む第１操作画面と、
第２アドレスから受信した文書データに基づいて作成され、前記映像の表示領域を含む第２操作画面と、
第３アドレスから受信した文書データに基づいて作成され、前記映像の表示領域を含まない第３操作画面と、
が含まれ、
前記操作画面処理手段は、操作入力に基づいて前記第１乃至第３アドレス間を遷移することにより、前記第１乃至第３操作画面を切り換えて前記表示画面上に表示させ、
前記第１乃至第３アドレス間でアドレスが遷移した場合に前記映像の再生を停止することが不要な遷移先アドレスとして、前記第１及び第２アドレスが、前記映像受信装置の備える記憶手段に記憶されており、
前記第１及び第２アドレス間でアドレスが遷移した場合には、前記映像制御手段は、遷移元アドレスに対応する操作画面内で再生されていた映像を、遷移先アドレスに対応する操作画面内において継続して再生する、プログラム。
【発明の詳細な説明】
【技術分野】
【０００１】
本発明は、映像受信装置及びプログラムに関する。
【背景技術】
【０００２】
近年における通信技術の進展に伴い、ＩＰ再送信、ビデオオンデマンド、多チャンネルＩＰ放送等の、ＩＰネットワークを介してコンテンツを配信するＩＰＴＶサービスが普及しつつある。
【０００３】
一般的なＩＰＴＶサービスでは、ネットワークとテレビとの間に専用のチューナーを接続することにより、テレビサービスやビデオサービス等の各種のサービスを提供することが可能となる。一般的なチューナーでは、チューナーの電源を投入すると、利用可能なサービスのメニューを表示した画面（以下「オープニング画面」と称す）がテレビ画面に表示される。リモコンの操作によりオープニング画面上のメニューからテレビサービスを選択すると、視聴可能なチャンネルの一覧や番組表への切換ボタン等を表示した画面（以下「チャンネル一覧画面」と称す）がテレビ画面に表示される。また、リモコンの操作によりチャンネル一覧画面から番組表を選択すると、番組表画面がテレビ画面に表示される。また、チャンネル一覧画面又は番組表画面が表示されている状態でリモコンの特定のキーを押下すると、オープニング画面がテレビ画面に表示される。このように、リモコンを用いたユーザの操作入力に応じて、複数の操作画面（オープニング画面、チャンネル一覧画面、番組表画面）が切り換えてテレビ画面に表示される。また、ある種のチューナーにおいては、オープニング画面及びチャンネル一覧画面では、プロモーション映像又は特定チャンネル等の映像が、画面内の所定の表示領域内で再生されており、一方、番組表画面では、当該映像の再生は行われない。
【０００４】
なお、地上デジタル放送のＩＰ再送信に関する運用規定が、例えば下記非特許文献１に開示されている。
【先行技術文献】
【非特許文献】
【０００５】
【非特許文献１】“ＩＰＴＶ規定  地上デジタルテレビジョン放送  ＩＰ再送信運用規定  ＩＰＴＶＦＪ  ＳＴＤ−０００５  １．１版”、有限責任中間法人  ＩＰＴＶフォーラム、２００８年１２月８日
【発明の概要】
【発明が解決しようとする課題】
【０００６】
上記のオープニング画面、チャンネル一覧画面、及び番組表画面を、いずれもＨＴＭＬ（Hyper Text Markup Language）文書として記述する場合を想定する。この想定において、チューナーには、ＨＴＭＬブラウザ機能と映像再生機能とを実装する必要がある。ＨＴＭＬブラウザ機能は、ユーザの操作入力に応じて、送信サーバの所定のＵＲＬ（Uniform Resource Locator）からネットワークを介して目的のＨＴＭＬ文書を受信し、受信したＨＴＭＬ文書に基づいて作成した操作画面をテレビ画面に表示する。映像再生機能は、送信サーバからネットワークを介して映像を受信し、ＨＴＭＬブラウザ機能からの指示に基づいて、テレビ画面上での当該映像の再生を制御する。
【０００７】
ここで、一般的なＨＴＭＬブラウザ機能は、ユーザの操作入力に応じて操作画面が遷移した場合、遷移前に表示していた操作画面に対応するＨＴＭＬ文書のリソースを全て破棄又は停止する。従って、例えばオープニング画面からチャンネル一覧画面に遷移した場合には、オープニング画面内で表示されていた映像の再生は遷移時に一旦停止され、チャンネル一覧画面への遷移が完了した後に、チャンネル一覧画面内で映像の再生が再開される。つまり、オープニング画面からチャンネル一覧画面に遷移した場合には、映像の再生が一時的に中断される。同様に、チャンネル一覧画面からオープニング画面に遷移した場合にも、映像の再生は一時的に中断される。
【０００８】
従って、操作画面を切り換える度に映像の再生が一時的に中断されるため、視聴しているユーザに違和感を与えるという問題がある。
【０００９】
本発明はかかる事情に鑑みて成されたものであり、受信した映像が表示される特定の操作画面間で画面が切り換えられた場合には、映像の再生が一時的に中断されることを回避することが可能な、映像受信装置及びプログラムを得ることを目的とするものである。
【課題を解決するための手段】
【００１０】
本発明の第１の態様に係る映像受信装置は、通信ネットワークを介して受信した文書データに基づいて操作画面を作成し、当該操作画面を表示画面上に表示させる操作画面処理手段と、前記通信ネットワークを介して受信した映像に関して、前記表示画面上での当該映像の再生を制御する映像制御手段と、記憶手段と、を備え、前記操作画面には、第１アドレスから受信した文書データに基づいて作成され、前記映像の表示領域を含む第１操作画面と、第２アドレスから受信した文書データに基づいて作成され、前記映像の表示領域を含む第２操作画面と、第３アドレスから受信した文書データに基づいて作成され、前記映像の表示領域を含まない第３操作画面と、が含まれ、前記操作画面処理手段は、操作入力に基づいて前記第１乃至第３アドレス間を遷移することにより、前記第１乃至第３操作画面を切り換えて前記表示画面上に表示させ、前記記憶手段には、前記第１乃至第３アドレス間でアドレスが遷移した場合に前記映像の再生を停止することが不要な遷移先アドレスとして、前記第１及び第２アドレスが記憶されており、前記第１及び第２アドレス間でアドレスが遷移した場合には、前記映像制御手段は、遷移元アドレスに対応する操作画面内で再生されていた映像を、遷移先アドレスに対応する操作画面内において継続して再生することを特徴とするものである。
【００１１】
第１の態様に係る映像受信装置によれば、記憶手段には、第１乃至第３アドレス間でアドレスが遷移した場合に映像の再生を停止することが不要な遷移先アドレスとして、第１及び第２アドレスが記憶されている。そして、第１及び第２アドレス間でアドレスが遷移した場合には、映像制御手段は、遷移元アドレスに対応する操作画面内で再生されていた映像を、遷移先アドレスに対応する操作画面内において継続して再生する。従って、映像の表示領域を含む第１及び第２操作画面間で画面が切り換えられた場合には、切り換え前の操作画面内で再生されていた映像を、一旦停止させることなく、切り換え後の操作画面内で継続して再生することができる。その結果、第１及び第２操作画面間で画面を切り換えた場合には、映像の再生が中断されないため、視聴しているユーザに違和感を与えることを回避することができる。しかも、記憶手段に記憶されているアドレス情報を参照することによって再生の停止の要否を判定するため、ＪａｖａＳｃｒｉｐｔ（登録商標）等のオブジェクト指向プログラミング言語によって再生の停止条件をＨＴＭＬ文書に記述する場合と比較すると、ＨＴＭＬ文書の簡略化を図ることができる。
【００１２】
本発明の第２の態様に係る映像受信装置は、第１の態様に係る映像受信装置において特に、前記操作画面処理手段は、前記第１乃至第３アドレス間でアドレスが遷移した場合に、遷移先アドレスを前記映像制御手段に通知し、前記映像制御手段は、前記操作画面処理手段から遷移先アドレスの通知を受けることにより前記記憶手段を参照し、参照の結果、前記記憶手段に記憶されている前記第１及び第２アドレス間でアドレスが遷移したと判定した場合には、遷移元アドレスに対応する操作画面内で再生されていた映像を、遷移先アドレスに対応する操作画面内において継続して再生することを特徴とするものである。
【００１３】
第２の態様に係る映像受信装置によれば、操作画面処理手段からアドレス遷移の通知を受けた映像制御手段が記憶手段を参照することにより、再生の停止の要否を判定する。このように、映像の再生を直接的に制御する映像制御手段が判定を行うことにより、再生停止の要否判定を簡易かつ確実に実行することが可能となる。
【００１４】
本発明の第３の態様に係る映像受信装置は、第１の態様に係る映像受信装置において特に、前記操作画面処理手段は、前記第１乃至第３アドレス間でアドレスが遷移した場合に前記記憶手段を参照し、参照の結果、前記記憶手段に記憶されている前記第１及び第２アドレス間でアドレスが遷移したと判定した場合には、遷移元アドレスに対応する操作画面内で再生されていた映像を、遷移先アドレスに対応する操作画面内において継続して再生するよう、前記映像制御手段に指示することを特徴とするものである。
【００１５】
第３の態様に係る映像受信装置によれば、アドレス遷移が生じた場合に操作画面処理手段が記憶手段を参照することにより、再生の停止の要否を判定する。このように、アドレス遷移の情報が直接的に入力される操作画面処理手段が判定を行うことにより、再生停止の要否判定を簡易かつ確実に実行することが可能となる。
【００１６】
本発明の第４の態様に係る映像受信装置は、第１〜第３のいずれか一つの態様に係る映像受信装置において特に、前記第１又は第２アドレスから前記第３アドレスへアドレスが遷移した場合には、前記映像制御手段は、遷移元アドレスに対応する操作画面内で再生されていた映像の再生を停止することを特徴とするものである。
【００１７】
第４の態様に係る映像受信装置によれば、第１又は第２アドレスから第３アドレスへアドレスが遷移した場合には、映像制御手段は、遷移元アドレスに対応する操作画面内で再生されていた映像の再生を停止する。これにより、映像の表示領域を含む第１又は第２操作画面から、映像の表示領域を含まない第３操作画面に切り換えられた場合に、映像の再生を確実に停止することが可能となる。
【００１８】
本発明の第５の態様に係るプログラムは、映像受信装置に搭載されるコンピュータを、通信ネットワークを介して受信した文書データに基づいて操作画面を作成し、当該操作画面を表示画面上に表示させる操作画面処理手段と、前記通信ネットワークを介して受信した映像に関して、前記表示画面上での当該映像の再生を制御する映像制御手段と、として機能させるためのプログラムであって、前記操作画面には、第１アドレスから受信した文書データに基づいて作成され、前記映像の表示領域を含む第１操作画面と、第２アドレスから受信した文書データに基づいて作成され、前記映像の表示領域を含む第２操作画面と、第３アドレスから受信した文書データに基づいて作成され、前記映像の表示領域を含まない第３操作画面と、が含まれ、前記操作画面処理手段は、操作入力に基づいて前記第１乃至第３アドレス間を遷移することにより、前記第１乃至第３操作画面を切り換えて前記表示画面上に表示させ、前記第１乃至第３アドレス間でアドレスが遷移した場合に前記映像の再生を停止することが不要な遷移先アドレスとして、前記第１及び第２アドレスが記憶手段に記憶されており、前記第１及び第２アドレス間でアドレスが遷移した場合には、前記映像制御手段は、遷移元アドレスに対応する操作画面内で再生されていた映像を、遷移先アドレスに対応する操作画面内において継続して再生することを特徴とするものである。
【００１９】
第５の態様に係るプログラムによれば、第１及び第２アドレス間でアドレスが遷移した場合には、映像制御手段は、遷移元アドレスに対応する操作画面内で再生されていた映像を、遷移先アドレスに対応する操作画面内において継続して再生する。従って、映像の表示領域を含む第１及び第２操作画面間で画面が切り換えられた場合には、切り換え前の操作画面内で再生されていた映像を、一旦停止させることなく、切り換え後の操作画面内で継続して再生することができる。その結果、第１及び第２操作画面間で画面を切り換えた場合には、映像の再生が中断されないため、視聴しているユーザに違和感を与えることを回避することができる。しかも、記憶手段に記憶されているアドレス情報を参照することによって再生の停止の要否を判定するため、ＪａｖａＳｃｒｉｐｔ（登録商標）等のオブジェクト指向プログラミング言語によって再生の停止条件をＨＴＭＬ文書に記述する場合と比較すると、ＨＴＭＬ文書の簡略化を図ることができる。
【発明の効果】
【００２０】
本発明によれば、受信した映像が表示される特定の操作画面間で画面が切り換えられた場合に、映像の再生が一時的に中断されることを回避することが可能な、映像受信装置及びプログラムを得ることができる。
【図面の簡単な説明】
【００２１】
【図１】本発明の実施の形態に係る映像配信システムの全体構成を示す図である。
【図２】映像受信装置に搭載されているコンピュータの構成を簡略化して示す図である。
【図３】プログラムを実行することによって処理部に実現される機能の一部を示すブロック図である。
【図４】複数の操作画面を簡略化して示す図である。
【図５】記憶部に記憶されているリスト情報を示す図である。
【図６】本実施の形態の変形例に関して、プログラムを実行することによって処理部に実現される機能の一部を示すブロック図である。
【発明を実施するための形態】
【００２２】
以下、本発明の実施の形態について、図面を用いて詳細に説明する。なお、異なる図面において同一の符号を付した要素は、同一又は相応する要素を示すものとする。
【００２３】
図１は、本発明の実施の形態に係る映像配信システム１の全体構成を示す図である。図１に示すように映像配信システム１は、映像を送信する送信サーバ２と、ＩＰネットワーク等のネットワーク３と、セットトップボックス等の映像受信装置４とを備えて構成されている。映像受信装置４は、液晶ディスプレイやプラズマディスプレイ等の任意の表示装置５に接続されている。ユーザは、リモコン６を用いた操作入力によって、映像受信装置４を操作可能である。
【００２４】
図２は、映像受信装置４に搭載されているコンピュータの構成を簡略化して示す図である。図２に示すようにコンピュータは、ＣＰＵ等の処理部１５と、半導体メモリ又はハードディスク等の記憶部１６と、ネットワーク３との間でデータの送受信を行う受信部１１及び送信部１２と、表示装置５にデータを送信する送信部１３と、リモコン６からデータを受信する受信部１４とを有している。記憶部１６には所定のプログラム２１が記憶されている。処理部１５は、記憶部１６からプログラム２１を読み出して実行する。また、記憶部１６には、リスト情報２２（詳細は後述する）が記憶されている。なお、プログラム２１とリスト情報２２とは、別個の記憶部に記憶されていてもよい。
【００２５】
図３は、プログラム２１を実行することによって処理部１５に実現される機能の一部を示すブロック図である。図３に示すように処理部１５は、操作画面処理手段３１及び映像制御手段３２を有している。換言すれば、プログラム２１は、映像受信装置４に搭載されているコンピュータを、操作画面処理手段３１及び映像制御手段３２として機能させるためのプログラムである。ソフトウェア的には、操作画面処理手段３１はＨＴＭＬブラウザモジュールに相当し、映像制御手段３２は動画再生モジュールに相当する。映像制御手段３２は、記憶部１６に記憶されているリスト情報２２を参照可能である。
【００２６】
映像受信装置４は、送信サーバ２からネットワーク３を介して受信した映像等のコンテンツを、表示装置５の表示画面（以下「テレビ画面」と称す）上に表示する。また、映像受信装置４は、リモコン６を用いたユーザの操作入力に応じて、複数の操作画面を切り換えてテレビ画面上に表示する。以下の例において、複数の操作画面には、ホーム画面（第１操作画面）、テレビサービストップ画面（第２操作画面）、及び番組表画面（第３操作画面）が含まれる。なお、操作画面の数や種類はこの例に限らず、その他の操作画面が含まれていてもよい。
【００２７】
図４は、複数の操作画面を簡略化して示す図である。図４の（Ａ）にはホーム画面４０Ａを示しており、図４の（Ｂ）にはテレビサービストップ画面４０Ｂを示しており、図４の（Ｃ）には番組表画面４０Ｃを示している。
【００２８】
映像受信装置４の電源をオンすると、ホーム画面４０Ａが表示される。ホーム画面４０Ａには、映像表示領域４１及びメニュー表示領域４２が含まれる。映像表示領域４１には、プロモーション映像、予め設定されたチャンネルの映像、又は、映像受信装置４の電源を前回オフする際に表示していたチャンネルの映像が、自動的に表示される。メニュー表示領域４２には、おすすめ作品のサムネイルや、テレビサービス、ビデオサービス、及びカラオケサービスの選択メニュー等が表示される。
【００２９】
リモコン６の操作によりホーム画面４０Ａ上の選択メニューからテレビサービスを選択すると、テレビサービストップ画面４０Ｂが表示される。テレビサービストップ画面４０Ｂには、映像表示領域４１及びメニュー表示領域４３が含まれる。上記と同様に映像表示領域４１には、プロモーション映像、予め設定されたチャンネルの映像、又は、映像受信装置４の電源を前回オフする際に表示していたチャンネルの映像が、自動的に表示される。メニュー表示領域４３には、おすすめチャンネルのサムネイルや、番組表の選択メニュー等が表示される。
【００３０】
リモコン６の操作によりテレビサービストップ画面４０Ｂから番組表を選択すると、番組表画面４０Ｃが表示される。番組表画面４０Ｃでは、所定期間内の電子番組表４４が表示される。ホーム画面４０Ａ及びテレビサービストップ画面４０Ｂとは異なり、番組表画面４０Ｃには映像表示領域４１は含まれない。
【００３１】
ホーム画面４０Ａ、テレビサービストップ画面４０Ｂ、及び番組表画面４０Ｃは、いずれもＨＴＭＬ（Hyper Text Markup Language）文書として記述されている。操作画面処理手段３１は、ユーザの操作入力に応じて、送信サーバ２の所定のＵＲＬ（Uniform Resource Locator）からネットワーク３を介して目的のＨＴＭＬ文書を受信し、受信したＨＴＭＬ文書に基づいて作成した操作画面をテレビ画面に表示する。以下の例において、ホーム画面４０ＡのＵＲＬ（第１アドレス）を「ＡＡＡ」、テレビサービストップ画面４０ＢのＵＲＬ（第２アドレス）を「ＢＢＢ」、番組表画面４０ＣのＵＲＬ（第３アドレス）を「ＣＣＣ」とする。
【００３２】
ホーム画面４０Ａを表示する場合には、ホーム画面４０ＡのアドレスであるＵＲＬ「ＡＡＡ」が、映像受信装置４から送信サーバ２に送信される。送信サーバ２は、ホーム画面４０ＡのＨＴＭＬ文書に関する文書データと、ホーム画面４０Ａの映像表示領域４１に表示すべき映像に関する映像データとを、ネットワーク３を介して映像受信装置４に送信する。操作画面処理手段３１は、受信した文書データに基づいてホーム画面４０Ａを作成し、作成したホーム画面４０Ａをテレビ画面に表示させる。また、映像制御手段３２は、受信した映像データに基づいて、ホーム画面４０Ａの映像表示領域４１において映像を再生する。
【００３３】
同様にテレビサービストップ画面４０Ｂを表示する場合には、テレビサービストップ画面４０ＢのアドレスであるＵＲＬ「ＢＢＢ」が、映像受信装置４から送信サーバ２に送信される。送信サーバ２は、テレビサービストップ画面４０ＢのＨＴＭＬ文書に関する文書データと、テレビサービストップ画面４０Ｂの映像表示領域４１に表示すべき映像に関する映像データとを、ネットワーク３を介して映像受信装置４に送信する。操作画面処理手段３１は、受信した文書データに基づいてテレビサービストップ画面４０Ｂを作成し、作成したテレビサービストップ画面４０Ｂをテレビ画面に表示させる。また、映像制御手段３２は、受信した映像データに基づいて、テレビサービストップ画面４０Ｂの映像表示領域４１において映像を再生する。
【００３４】
同様に番組表画面４０Ｃを表示する場合には、番組表画面４０ＣのアドレスであるＵＲＬ「ＣＣＣ」が、映像受信装置４から送信サーバ２に送信される。送信サーバ２は、番組表画面４０ＣのＨＴＭＬ文書に関する文書データを、ネットワーク３を介して映像受信装置４に送信する。操作画面処理手段３１は、受信した文書データに基づいて番組表画面４０Ｃを作成し、作成した番組表画面４０Ｃをテレビ画面に表示させる。
【００３５】
図５は、記憶部１６に記憶されているリスト情報２２を示す図である。リスト情報２２には、ＵＲＬが遷移した場合に映像の再生を停止することが不要な遷移先アドレスが記述される。この例では、ホーム画面４０ＡのＵＲＬ「ＡＡＡ」と、テレビサービストップ画面４０ＢのＵＲＬ「ＢＢＢ」とが、リスト情報２２に記述される。なお、番組表画面４０ＣのＵＲＬ「ＣＣＣ」は、リスト情報２２には記述されない。
【００３６】
以下、ホーム画面４０Ａが表示されている状況でテレビサービストップ画面４０Ｂへの切り換えが行われた場合の動作について説明する。図３を参照して、ホーム画面４０Ａが表示されている状況では、映像制御手段３２には送信サーバ２から受信した映像データＳ５が入力されており、映像制御手段３２は、映像データＳ５に基づいて、ホーム画面４０Ａの映像表示領域４１において再生する映像データＳ６を生成及び出力している。
【００３７】
この状況で、テレビサービストップ画面４０Ｂへの切り換えを指示する信号Ｓ１が、リモコン６から受信部１４を介して操作画面処理手段３１に入力される。操作画面処理手段３１は、遷移先ＵＲＬであるテレビサービストップ画面４０ＢのＵＲＬ「ＢＢＢ」を示す信号Ｓ２を、送信部１２に入力する。信号Ｓ２は、送信部１２からネットワーク３を介して送信サーバ２に送信され、送信サーバ２は、テレビサービストップ画面４０ＢのＨＴＭＬ文書に関する文書データＳ３を、ネットワーク３を介して映像受信装置４に送信する。映像受信装置４は、受信部１１によって文書データＳ３を受信する。文書データＳ３は、受信部１１から操作画面処理手段３１に入力される。操作画面処理手段３１は、入力された文書データＳ３に基づいて、テレビサービストップ画面４０Ｂに関する画面データＳ４を作成及び出力する。画面データＳ４は送信部１３を介して表示装置５に入力され、テレビサービストップ画面４０Ｂがテレビ画面に表示される。
【００３８】
また、操作画面処理手段３１は、受信部１４から信号Ｓ１が入力されることにより、遷移先ＵＲＬであるテレビサービストップ画面４０ＢのＵＲＬ「ＢＢＢ」を示す信号Ｓ２を、映像制御手段３２に入力する。その際、操作画面処理手段３１から映像制御手段３２へは、映像の再生や停止に関する指示は入力されない。映像制御手段３２は、現在表示されている操作画面のＵＲＬ（この例では、遷移元ＵＲＬであるホーム画面４０ＡのＵＲＬ「ＡＡＡ」）に関する情報を保持している。映像制御手段３２は、リスト情報２２を信号Ｓ７として記憶部１５から読み出し、リスト情報２２を参照することにより、遷移元ＵＲＬ及び遷移先ＵＲＬの双方がリスト情報２２に含まれているか否かを判定する。この例では、遷移元ＵＲＬは「ＡＡＡ」、遷移先ＵＲＬは「ＢＢＢ」で、いずれもリスト情報２２に含まれているため、この判定の結果は「ＹＥＳ」となる。この場合、映像制御手段３２は、映像データＳ５に基づく映像データＳ６の生成及び出力を中断することなく継続して実行する。これにより、ホーム画面４０Ａの映像表示領域４１において再生されていた映像が、テレビサービストップ画面４０Ｂの映像表示領域４１においても継続して再生される。
【００３９】
なお、以上の説明では、ホーム画面４０Ａが表示されている状況でテレビサービストップ画面４０Ｂへの切り換えが行われた場合の動作について説明した。これとは逆に、テレビサービストップ画面４０Ｂが表示されている状況でホーム画面４０Ａへの切り換えが行われた場合も、遷移元ＵＲＬ及び遷移先ＵＲＬの双方がリスト情報２２に含まれることとなる。そのため、テレビサービストップ画面４０Ｂの映像表示領域４１において再生されていた映像が、ホーム画面４０Ａの映像表示領域４１において継続して再生される。
【００４０】
次に、ホーム画面４０Ａが表示されている状況で番組表画面４０Ｃへの切り換えが行われた場合の動作について説明する。図３を参照して、ホーム画面４０Ａが表示されている状況では、映像制御手段３２には送信サーバ２から受信した映像データＳ５が入力されており、映像制御手段３２は、映像データＳ５に基づいて、ホーム画面４０Ａの映像表示領域４１において再生する映像データＳ６を生成及び出力している。
【００４１】
この状況で、番組表画面４０Ｃへの切り換えを指示する信号Ｓ１が、リモコン６から受信部１４を介して操作画面処理手段３１に入力される。操作画面処理手段３１は、遷移先ＵＲＬである番組表画面４０ＣのＵＲＬ「ＣＣＣ」を示す信号Ｓ２を、送信部１２に入力する。信号Ｓ２は、送信部１２からネットワーク３を介して送信サーバ２に送信され、送信サーバ２は、番組表画面４０ＣのＨＴＭＬ文書に関する文書データＳ３を、ネットワーク３を介して映像受信装置４に送信する。映像受信装置４は、受信部１１によって文書データＳ３を受信する。文書データＳ３は、受信部１１から操作画面処理手段３１に入力される。操作画面処理手段３１は、入力された文書データＳ３に基づいて、番組表画面４０Ｃに関する画面データＳ４を作成及び出力する。画面データＳ４は送信部１３を介して表示装置５に入力され、番組表画面４０Ｃがテレビ画面に表示される。
【００４２】
また、操作画面処理手段３１は、受信部１４から信号Ｓ１が入力されることにより、遷移先ＵＲＬである番組表画面４０ＣのＵＲＬ「ＣＣＣ」を示す信号Ｓ２を、映像制御手段３２に入力する。その際、操作画面処理手段３１から映像制御手段３２へは、映像の再生や停止に関する指示は入力されない。映像制御手段３２は、現在表示されている操作画面のＵＲＬ（この例では、遷移元ＵＲＬであるホーム画面４０ＡのＵＲＬ「ＡＡＡ」）に関する情報を保持している。映像制御手段３２は、リスト情報２２を信号Ｓ７として記憶部１５から読み出し、リスト情報２２を参照することにより、遷移元ＵＲＬ及び遷移先ＵＲＬの双方がリスト情報２２に含まれているか否かを判定する。この例では、遷移元ＵＲＬは「ＡＡＡ」、遷移先ＵＲＬは「ＣＣＣ」で、遷移先ＵＲＬがリスト情報２２に含まれていないため、この判定の結果は「ＮＯ」となる。この場合、映像制御手段３２は、映像データＳ５に基づく映像データＳ６の生成及び出力を停止する。これにより、ホーム画面４０Ａの映像表示領域４１に表示されていた映像の再生が停止される。
【００４３】
なお、以上の説明では、ホーム画面４０Ａが表示されている状況で番組表画面４０Ｃへの切り換えが行われた場合の動作について説明した。これと同様に、テレビサービストップ画面４０Ｂが表示されている状況で番組表画面４０Ｃへの切り換えが行われた場合も、遷移先ＵＲＬがリスト情報２２に含まれないこととなる。そのため、テレビサービストップ画面４０Ｂの映像表示領域４１に表示されていた映像の再生が停止される。
【００４４】
次に、番組表画面４０Ｃが表示されている状況でホーム画面４０Ａへの切り換えが行われた場合の動作について説明する。番組表画面４０Ｃが表示されている状況では、映像制御手段３２には映像データＳ５が入力されておらず、映像制御手段３２は、映像データＳ６の生成及び出力を停止している。
【００４５】
この状況で、ホーム画面４０Ａへの切り換えを指示する信号Ｓ１が、リモコン６から受信部１４を介して操作画面処理手段３１に入力される。操作画面処理手段３１は、遷移先ＵＲＬであるホーム画面４０ＡのＵＲＬ「ＡＡＡ」を示す信号Ｓ２を、送信部１２に入力する。信号Ｓ２は、送信部１２からネットワーク３を介して送信サーバ２に送信され、送信サーバ２は、ホーム画面４０ＡのＨＴＭＬ文書に関する文書データＳ３を、ネットワーク３を介して映像受信装置４に送信する。映像受信装置４は、受信部１１によって文書データＳ３を受信する。文書データＳ３は、受信部１１から操作画面処理手段３１に入力される。操作画面処理手段３１は、入力された文書データＳ３に基づいて、ホーム画面４０Ａに関する画面データＳ４を作成及び出力する。画面データＳ４は送信部１３を介して表示装置５に入力され、ホーム画面４０Ａがテレビ画面に表示される。
【００４６】
また、操作画面処理手段３１は、受信部１４から信号Ｓ１が入力されることにより、遷移先ＵＲＬであるホーム画面４０ＡのＵＲＬ「ＡＡＡ」を示す信号Ｓ２を、映像制御手段３２に入力する。その際、操作画面処理手段３１から映像制御手段３２へは、映像の再生や停止に関する指示は入力されない。映像制御手段３２は、現在表示されている操作画面のＵＲＬ（この例では、遷移元ＵＲＬである番組表画面４０ＣのＵＲＬ「ＣＣＣ」）に関する情報を保持している。映像制御手段３２は、遷移元ＵＲＬが、映像の再生を伴わない番組表画面４０ＣのＵＲＬ「ＣＣＣ」であり、遷移先ＵＲＬが、映像の再生を伴うホーム画面４０ＡのＵＲＬ「ＡＡＡ」である場合には、映像の送信を要求する信号Ｓ８を、送信部１２からネットワーク３を介して送信サーバ２に送信する。送信サーバ２は、ホーム画面４０Ａの映像表示領域４１に表示すべき映像に関する映像データＳ５を、ネットワーク３を介して映像受信装置４に送信する。映像受信装置４は、受信部１１によって映像データＳ５を受信する。映像データＳ５は、受信部１１から映像制御手段１１に入力される。映像制御手段３２は、入力された映像データＳ５に基づいて映像データＳ６を生成及び出力することにより、ホーム画面４０Ａの映像表示領域４１において映像を再生する。
【００４７】
なお、以上の説明では、番組表画面４０Ｃが表示されている状況でホーム画面４０Ａへの切り換えが行われた場合の動作について説明したが、番組表画面４０Ｃが表示されている状況でテレビサービストップ画面４０Ｂへの切り換えが行われた場合の動作もこれと同様である。
【００４８】
＜変形例＞
図６は、本実施の形態の変形例に関して、プログラム２１を実行することによって処理部１５に実現される機能の一部を示すブロック図である。本変形例において、操作画面処理手段３１は、記憶部１６に記憶されているリスト情報２２を参照可能である。
【００４９】
以下、ホーム画面４０Ａが表示されている状況でテレビサービストップ画面４０Ｂへの切り換えが行われた場合の動作について説明する。図６を参照して、ホーム画面４０Ａが表示されている状況では、映像制御手段３２には送信サーバ２から受信した映像データＳ５が入力されており、映像制御手段３２は、映像データＳ５に基づいて、ホーム画面４０Ａの映像表示領域４１において再生する映像データＳ６を生成及び出力している。
【００５０】
この状況で、テレビサービストップ画面４０Ｂへの切り換えを指示する信号Ｓ１が、リモコン６から受信部１４を介して操作画面処理手段３１に入力される。操作画面処理手段３１は、遷移先ＵＲＬであるテレビサービストップ画面４０ＢのＵＲＬ「ＢＢＢ」を示す信号Ｓ２を、送信部１２に入力する。信号Ｓ２は、送信部１２からネットワーク３を介して送信サーバ２に送信され、送信サーバ２は、テレビサービストップ画面４０ＢのＨＴＭＬ文書に関する文書データＳ３を、ネットワーク３を介して映像受信装置４に送信する。映像受信装置４は、受信部１１によって文書データＳ３を受信する。文書データＳ３は、受信部１１から操作画面処理手段３１に入力される。操作画面処理手段３１は、入力された文書データＳ３に基づいて、テレビサービストップ画面４０Ｂに関する画面データＳ４を作成及び出力する。画面データＳ４は送信部１３を介して表示装置５に入力され、テレビサービストップ画面４０Ｂがテレビ画面に表示される。
【００５１】
また、操作画面処理手段３１は、受信部１４から信号Ｓ１が入力されることにより、リスト情報２２を信号Ｓ７として記憶部１５から読み出す。ここで、操作画面処理手段３１は、現在表示されている操作画面のＵＲＬ（この例では、遷移元ＵＲＬであるホーム画面４０ＡのＵＲＬ「ＡＡＡ」）に関する情報を保持している。そして、操作画面処理手段３１は、リスト情報２２を参照することにより、遷移元ＵＲＬ及び遷移先ＵＲＬの双方がリスト情報２２に含まれているか否かを判定する。この例では、遷移元ＵＲＬは「ＡＡＡ」、遷移先ＵＲＬは「ＢＢＢ」で、いずれもリスト情報２２に含まれているため、この判定の結果は「ＹＥＳ」となる。この場合、操作画面処理手段３１は、映像の再生の停止を指示する信号Ｓ９を映像制御手段３２に入力しない。これにより、映像制御手段３２において、映像データＳ５に基づく映像データＳ６の生成及び出力が中断することなく継続して実行され、その結果、ホーム画面４０Ａの映像表示領域４１において再生されていた映像が、テレビサービストップ画面４０Ｂの映像表示領域４１においても継続して再生される。
【００５２】
なお、以上の説明では、ホーム画面４０Ａが表示されている状況でテレビサービストップ画面４０Ｂへの切り換えが行われた場合の動作について説明した。これとは逆に、テレビサービストップ画面４０Ｂが表示されている状況でホーム画面４０Ａへの切り換えが行われた場合も、遷移元ＵＲＬ及び遷移先ＵＲＬの双方がリスト情報２２に含まれることとなる。そのため、テレビサービストップ画面４０Ｂの映像表示領域４１において再生されていた映像が、ホーム画面４０Ａの映像表示領域４１において継続して再生される。
【００５３】
次に、ホーム画面４０Ａが表示されている状況で番組表画面４０Ｃへの切り換えが行われた場合の動作について説明する。図６を参照して、ホーム画面４０Ａが表示されている状況では、映像制御手段３２には送信サーバ２から受信した映像データＳ５が入力されており、映像制御手段３２は、映像データＳ５に基づいて、ホーム画面４０Ａの映像表示領域４１において再生する映像データＳ６を生成及び出力している。
【００５４】
この状況で、番組表画面４０Ｃへの切り換えを指示する信号Ｓ１が、リモコン６から受信部１４を介して操作画面処理手段３１に入力される。操作画面処理手段３１は、遷移先ＵＲＬである番組表画面４０ＣのＵＲＬ「ＣＣＣ」を示す信号Ｓ２を、送信部１２に入力する。信号Ｓ２は、送信部１２からネットワーク３を介して送信サーバ２に送信され、送信サーバ２は、番組表画面４０ＣのＨＴＭＬ文書に関する文書データＳ３を、ネットワーク３を介して映像受信装置４に送信する。映像受信装置４は、受信部１１によって文書データＳ３を受信する。文書データＳ３は、受信部１１から操作画面処理手段３１に入力される。操作画面処理手段３１は、入力された文書データＳ３に基づいて、番組表画面４０Ｃに関する画面データＳ４を作成及び出力する。画面データＳ４は送信部１３を介して表示装置５に入力され、番組表画面４０Ｃがテレビ画面に表示される。
【００５５】
また、操作画面処理手段３１は、受信部１４から信号Ｓ１が入力されることにより、リスト情報２２を信号Ｓ７として記憶部１５から読み出す。ここで、操作画面処理手段３１は、現在表示されている操作画面のＵＲＬ（この例では、遷移元ＵＲＬであるホーム画面４０ＡのＵＲＬ「ＡＡＡ」）に関する情報を保持している。そして、操作画面処理手段３１は、リスト情報２２を参照することにより、遷移元ＵＲＬ及び遷移先ＵＲＬの双方がリスト情報２２に含まれているか否かを判定する。この例では、遷移元ＵＲＬは「ＡＡＡ」、遷移先ＵＲＬは「ＣＣＣ」で、遷移先ＵＲＬがリスト情報２２に含まれていないため、この判定の結果は「ＮＯ」となる。この場合、操作画面処理手段３１は、映像の再生の停止を指示する信号Ｓ９を映像制御手段３２に入力する。これにより、映像制御手段３２は、映像データＳ５に基づく映像データＳ６の生成及び出力を停止し、その結果、ホーム画面４０Ａの映像表示領域４１に表示されていた映像の再生が停止される。
【００５６】
なお、以上の説明では、ホーム画面４０Ａが表示されている状況で番組表画面４０Ｃへの切り換えが行われた場合の動作について説明した。これと同様に、テレビサービストップ画面４０Ｂが表示されている状況で番組表画面４０Ｃへの切り換えが行われた場合も、遷移先ＵＲＬがリスト情報２２に含まれないこととなる。そのため、テレビサービストップ画面４０Ｂの映像表示領域４１に表示されていた映像の再生が停止される。
【００５７】
次に、番組表画面４０Ｃが表示されている状況でホーム画面４０Ａへの切り換えが行われた場合の動作について説明する。番組表画面４０Ｃが表示されている状況では、映像制御手段３２には映像データＳ５が入力されておらず、映像制御手段３２は、映像データＳ６の生成及び出力を停止している。
【００５８】
この状況で、ホーム画面４０Ａへの切り換えを指示する信号Ｓ１が、リモコン６から受信部１４を介して操作画面処理手段３１に入力される。操作画面処理手段３１は、遷移先ＵＲＬであるホーム画面４０ＡのＵＲＬ「ＡＡＡ」を示す信号Ｓ２を、送信部１２に入力する。信号Ｓ２は、送信部１２からネットワーク３を介して送信サーバ２に送信され、送信サーバ２は、ホーム画面４０ＡのＨＴＭＬ文書に関する文書データＳ３を、ネットワーク３を介して映像受信装置４に送信する。映像受信装置４は、受信部１１によって文書データＳ３を受信する。文書データＳ３は、受信部１１から操作画面処理手段３１に入力される。操作画面処理手段３１は、入力された文書データＳ３に基づいて、ホーム画面４０Ａに関する画面データＳ４を作成及び出力する。画面データＳ４は送信部１３を介して表示装置５に入力され、ホーム画面４０Ａがテレビ画面に表示される。
【００５９】
また、操作画面処理手段３１は、現在表示されている操作画面のＵＲＬ（この例では、遷移元ＵＲＬである番組表画面４０ＣのＵＲＬ「ＣＣＣ」）に関する情報を保持している。映像制御手段３２は、遷移元ＵＲＬが、映像の再生を伴わない番組表画面４０ＣのＵＲＬ「ＣＣＣ」であり、遷移先ＵＲＬが、映像の再生を伴うホーム画面４０ＡのＵＲＬ「ＡＡＡ」である場合には、映像の送信を要求する信号Ｓ８を、送信部１２からネットワーク３を介して送信サーバ２に送信する。送信サーバ２は、ホーム画面４０Ａの映像表示領域４１に表示すべき映像に関する映像データＳ５を、ネットワーク３を介して映像受信装置４に送信する。映像受信装置４は、受信部１１によって映像データＳ５を受信する。映像データＳ５は、受信部１１から映像制御手段１１に入力される。映像制御手段３２は、入力された映像データＳ５に基づいて映像データＳ６を生成及び出力することにより、ホーム画面４０Ａの映像表示領域４１において映像を再生する。
【００６０】
なお、以上の説明では、番組表画面４０Ｃが表示されている状況でホーム画面４０Ａへの切り換えが行われた場合の動作について説明したが、番組表画面４０Ｃが表示されている状況でテレビサービストップ画面４０Ｂへの切り換えが行われた場合の動作もこれと同様である。
【００６１】
＜まとめ＞
本実施の形態に係る映像受信装置４によれば、記憶部１６には、ホーム画面４０ＡのＵＲＬ「ＡＡＡ」、テレビサービストップ画面４０ＢのＵＲＬ「ＢＢＢ」、及び番組表画面４０ＣのＵＲＬ「ＣＣＣ」の間でＵＲＬが遷移した場合に映像の再生を停止することが不要な遷移先ＵＲＬとして、ＵＲＬ「ＡＡＡ」及びＵＲＬ「ＢＢＢ」がリスト情報２２として記憶されている。そして、ＵＲＬ「ＡＡＡ」及びＵＲＬ「ＢＢＢ」間でアドレスが遷移した場合には、映像制御手段３２は、遷移元アドレスに対応する操作画面内で再生されていた映像を、遷移先アドレスに対応する操作画面内において継続して再生する。従って、映像表示領域４１を含むホーム画面４０Ａ及びテレビサービストップ画面４０Ｂ間で画面が切り換えられた場合には、切り換え前の操作画面内で再生されていた映像を、一旦停止させることなく、切り換え後の操作画面内で継続して再生することができる。その結果、ホーム画面４０Ａ及びテレビサービストップ画面４０Ｂ間で画面を切り換えた場合には、映像の再生が中断されないため、視聴しているユーザに違和感を与えることを回避することができる。しかも、記憶部１６に記憶されているアドレス情報を参照することによって再生の停止の要否を判定するため、ＪａｖａＳｃｒｉｐｔ（登録商標）等のオブジェクト指向プログラミング言語によって再生の停止条件をＨＴＭＬ文書に記述する場合と比較すると、ＨＴＭＬ文書の簡略化を図ることができる。
【００６２】
また、図３に示した例によれば、操作画面処理手段３１からＵＲＬ遷移の通知を受けた映像制御手段３２が記憶部１６を参照することにより、再生の停止の要否を判定する。このように、映像の再生を直接的に制御する映像制御手段３２が判定を行うことにより、再生停止の要否判定を簡易かつ確実に実行することが可能となる。
【００６３】
また、図６に示した例によれば、ＵＲＬ遷移が生じた場合に操作画面処理手段３１が記憶部１６を参照することにより、再生の停止の要否を判定する。このように、ＵＲＬ遷移の情報が直接的に入力される操作画面処理手段３１が判定を行うことにより、再生停止の要否判定を簡易かつ確実に実行することが可能となる。
【００６４】
また、ホーム画面４０ＡのＵＲＬ「ＡＡＡ」又はテレビサービストップ画面４０ＢのＵＲＬ「ＢＢＢ」から番組表画面４０ＣのＵＲＬ「ＣＣＣ」へ遷移した場合には、映像制御手段３２は、遷移元アドレスに対応する操作画面内で再生されていた映像の再生を停止する。これにより、映像表示領域４１を含むホーム画面４０Ａ又はテレビサービストップ画面４０Ｂから、映像表示領域４１を含まない番組表画面４０Ｃに切り換えられた場合に、映像の再生を確実に停止することが可能となる。
【００６５】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００６６】
２  送信サーバ
３  ネットワーク
４  映像受信装置
５  表示装置
１５  処理部
１６  記憶部
２１  プログラム
２２  リスト情報
３１  操作画面処理手段
３２  映像制御手段
４０Ａ  ホーム画面
４０Ｂ  テレビサービストップ画面
４０Ｃ  番組表画面
４１  映像表示領域
【図１】
0005603752.tif 000002
【図２】
0005603752.tif 000003
【図３】
0005603752.tif 000004
【図４】
0005603752.tif 000005
【図５】
0005603752.tif 000006
【図６】
0005603752.tif 000007